【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
動作環境内での制御システムの設置の設定をするための方法であって、
コントローラと共用可能な周辺デバイスを設置するためのオプションを提供するステップと、
前記提供されたオプションに基づいた選択を受信するステップと、
ここで、前記選択は、少なくとも一つの選択された周辺デバイスの動作環境と関連付けられており、
前記コントローラを前記少なくとも一つの選択された周辺デバイスに接続するために、前記コントローラに複数のピンから個別のピンを指定させる命令を生成するステップと、
ここで、前記複数のピンから個別のピンを指定するために、前記コントローラは、前記複数のピンから前記個別のピンを選択すること、および前記複数のピンから少なくとも一つの個別のピンを電気的に設定することをさらに命令され、
前記コントローラと関連付けられた前記指定された個別のピンと前記少なくとも一つの選択された周辺デバイスと関連付けられたワイヤとの間の接続を記述するレポートを生成するステップと、
を含む、方法。
【請求項２】
前記方法は、前記コントローラ上で実行し、
前記方法は、さらに、
前記コントローラを前記少なくとも一つの選択された周辺デバイスに接続するためのピン設定を前記生成された命令に基づいて決定するステップと、
前記コントローラ内に前記決定されたピン設定に基づいた個別のピンとの接続を確立するステップと、
前記決定されたピン設定に基づいた前記生成されたレポートを提供するステップと、を含む、請求項１に記載の方法。
【請求項３】
前記ピン設定を決定するステップは、前記コントローラと前記少なくとも一つの周辺デバイスとの間の配線の複雑さを減少させるアルゴリズムを実行するステップをさらに含む、請求項２に記載の方法。
【請求項４】
前記複数のピンは、ターミナルブロック内に配置される異なるグループに分けられ、
前記アルゴリズムは、特定の周辺デバイスと関連付けられた接続を同じターミナルブロックにグループ化する、請求項３に記載の方法。
【請求項５】
前記アルゴリズムは、前記コントローラと前記少なくとも一つの周辺デバイスとの間の接続の複雑さを減少させる最適化アルゴリズムであり、
前記最適化アルゴリズムは、各周辺デバイスについての接続の長さを減少させる前記個別のピンを選択する、請求項４に記載の方法。
【請求項６】
追加の周辺デバイスを導入するように前記制御システムを後に再設定することは、確立された接続においてすでに使用されている個別のピンを指定することを避けることをさらに含む、請求項２に記載の方法。
【請求項７】
前記個別のピンを指定することは、接続を確立するために特定のピンを使用しないためのオプションを含む、請求項２に記載の方法。
【請求項８】
前記方法は、管理デバイス上で実行し、
前記方法は、さらに、
前記コントローラとの接続を確立するステップと、
前記生成された命令を前記コントローラに提供するステップと、
前記コントローラからピン設定情報を受信するステップと、
前記生成されたレポートを表示するステップと、を含み、
前記生成されたレポートは、受信されたピン設定情報に基いている、請求項１に記載の方法。
【請求項９】
前記レポートは、前記コントローラが前記個別のピンとの接続を確立する前に表示される、請求項８に記載の方法。
【請求項１０】
前記方法は、管理デバイス上で実行し、
前記方法は、さらに、
前記コントローラを前記少なくとも一つの選択された周辺デバイスに接続するために、前記複数のピンからピン設定を前記生成された命令に基づいて決定するステップと、
前記決定されたピン設定を含むファイルをエクスポートするステップと、を含む、請求項１に記載の方法。
【請求項１１】
前記方法は、ネットワーク上で前記コントローラとの接続を確立するステップと、
前記決定されたピン設定に基づいて接続を確立することを前記コントローラに命令するための前記エクスポートされたファイルを提供するステップと、をさらに含む、請求項１０に記載の方法。
【請求項１２】
前記選択は、特定の種類の周辺デバイス、または周辺デバイスの一集合によって用いられる標準データ通信プロトコルに基づいており、
前記選択は、前記動作環境内のいくつかのドア、各ドアと関連付けられたいくつかのコントローラ、または、前記いくつかのドアおよび前記いくつかのコントローラの組み合わせを含む、請求項１に記載の方法。
【請求項１３】
前記レポートは、前記コントローラ上での前記ピン設定の描画、および前記周辺デバイスと関連付けられた前記ワイヤとの前記関連付けられた電気的接続の描画を表示するグラフィックレイアウトをさらに含む、請求項２に記載の方法。
【請求項１４】
動作環境内での制御システムの設置の設定をするための装置であって、
プロセッサと、
前記プロセッサに連結されたメモリと、
を含み、
前記メモリは、
コントローラと共用可能な周辺デバイスを設置するためのオプションを提供し、
前記提供されたオプションに基づいた選択を受信し、
ここで、前記選択は、少なくとも一つの選択された周辺デバイスの動作環境と関連付けられており、
前記コントローラを前記少なくとも一つの選択された周辺デバイスに接続するために、前記コントローラに複数のピンから個別のピンを指定させる命令を生成し、
ここで、前記複数のピンから個別のピンを指定するために、前記コントローラは、前記複数のピンから前記個別のピンを選択すること、および前記複数のピンから少なくとも一つの個別のピンを電気的に設定することをさらに命令され、かつ、
前記コントローラと関連付けられた前記指定された個別のピンと前記少なくとも一つの選択された周辺デバイスと関連付けられたワイヤとの間の接続を記述するレポートを生成することを前記プロセッサに行わせるソフトウェア命令を記憶する、装置。
【請求項１５】
前記プロセッサは、前記コントローラ内に含まれ、
前記ソフトウェア命令は、
前記コントローラを前記少なくとも一つの選択された周辺デバイスに接続するためのピン設定を前記生成された命令に基づいて決定し、
前記コントローラ内に前記決定されたピン設定に基づいた個別のピンとの接続を確立し、かつ、
前記決定されたピン設定に基づいた前記生成されたレポートを提供することを前記プロセッサにさらに行わせる、請求項１４に記載の装置。
【請求項１６】
前記ピン設定を決定することは、前記コントローラと前記少なくとも一つの周辺デバイスとの間の配線の複雑さを減少させるアルゴリズムを前記プロセッサにさらに実行させる、請求項１５に記載の装置。
【請求項１７】
前記複数のピンは、ターミナルブロック内に配置される異なるグループに分けられ、
前記アルゴリズムは、特定の周辺デバイスと関連付けられた接続を同じターミナルブロックにグループ化する、請求項１６に記載の装置。
【請求項１８】
前記アルゴリズムは、前記コントローラと前記少なくとも一つの周辺デバイスとの間の接続の複雑さを減少させる最適化アルゴリズムであり、
前記最適化アルゴリズムは、各周辺デバイスについての接続の長さを減少させる前記個別のピンを選択する、請求項１７に記載の装置。
【請求項１９】
前記個別のピンを指定することは、接続を確立するために特定のピンを使用しないためのオプションを含む、請求項１５に記載の装置。
【請求項２０】
前記プロセッサは、管理デバイス内に含まれ、
前記ソフトウェア命令は、
前記コントローラとの接続を確立し、
前記生成された命令を前記コントローラに提供し、
前記コントローラからピン設定情報を受信し、かつ、
前記生成されたレポートを表示することを前記プロセッサにさらに行わせ、
前記生成されたレポートは、受信されたピン設定情報に基いている、請求項１４に記載の装置。
【請求項２１】
前記レポートは、前記コントローラが前記個別のピンとの接続を確立する前に表示される、請求項２０に記載の装置。
【請求項２２】
前記プロセッサは、管理デバイス内に含まれ、
前記ソフトウェア命令は、
前記コントローラを前記少なくとも一つの選択された周辺デバイスに接続するために、前記複数のピンからピン設定を前記生成された命令に基づいて決定し、かつ、
前記決定されたピン設定を含むファイルをエクスポートすることを前記プロセッサにさらに行わせる、請求項１４に記載の装置。
【請求項２３】
前記ソフトウェア命令は、
ネットワーク上で前記コントローラとの接続を確立し、かつ、
前記決定されたピン設定に基づいて接続を確立することを前記コントローラに命令するための前記エクスポートされたファイルを提供することを前記プロセッサにさらに行わせる、請求項２２に記載の装置。
【請求項２４】
前記選択は、特定の種類の周辺デバイス、または周辺デバイスの一集合によって用いられる標準データ通信プロトコルに基づいており、
前記選択は、前記動作環境内のいくつかのドア、および、各ドアと関連付けられたいくつかのコントローラをさらに含む、請求項１４に記載の装置。
【請求項２５】
前記レポートは、前記コントローラ上での前記ピン設定の描画、および前記周辺デバイスと関連付けられた前記ワイヤとの前記関連付けられた電気的接続の描画を表示するグラフィックレイアウトをさらに含む、請求項１５に記載の装置。